(57)【特許請求の範囲】
【請求項１】
主幹漏電ブレーカと、この２次側のライン側回路と１次送り接地側回路の異相間に定格感度電流に電流制限する抵抗を直列接続したトライアックと、１次送り回路と同相の２次側回路とトライアックのゲート間にこのトライアックをトリガする抵抗を直列接続した非常押しボタンスイッチとからなる装置であって、非常時に非常押しボタンスイッチを押すことでトライアックをトリガしトライアックがオンし、主幹漏電ブレーカ内の零相変流器が、零相変流器のライン側入力端子Ｌ１、ライン側出力端子Ｌ２間を流れる電流を検出し、遮断することを特徴とするブレーカ遮断装置。
【請求項２】
主幹漏電ブレーカと、２次側のライン側回路と１次送り接地側回路の異相間に定格感度電流に電流制限する抵抗を直列接続したトライアックと、１次送り接地側回路と同相の２次側回路とトライアックのゲート間にこのゲートをトリガする抵抗を直列接続した感震センサとからなる装置であって、地震時に感震器がトライアックをトリガしトライアックがオンし、主幹漏電ブレーカ内の零相変流器が、零相変流器のライン側入力Ｌ１、ライン側出力Ｌ２間を流れる電流を検出し、遮断することを特徴とするブレーカ遮断装置。
【請求項３】
主幹漏電ブレーカの２次側に補助接点付き分岐ブレーカを経由してブレーカ遮断装置の手動操作回路を設けた検査対象回路であって、主幹漏電ブレーカの２次側に補助接点付き分岐ブレーカと、主幹漏電ブレーカの２次側経由補助接点にトライアックのゲートを接続し、主幹漏電ブレーカの２次側と主幹漏電ブレーカの１次送り回路の異相間を主幹漏電ブレーカの定格感度電流に制限する直列抵抗を設けたトライアックで接続し、検査対象回路の過電流、短絡等の場合に補助接点付き分岐ブレーカを動作させ、補助接点経由トライアックのゲートをトリガし主幹漏電ブレーカ内の零相変流器が、零相変流器のライン側入力Ｌ１、ライン側出力Ｌ２間を流れる電流を検出し、遮断することで該回路が正常であることを検査することを可能としたことを特徴とする検査対象回路を具備したブレーカ遮断装置。
【請求項４】
主幹電圧引外し装置付きブレーカと、この２次側に接続した補助接点付き分岐漏電ブレーカと、この２次側ライン側回路と１次送り接地側回路の異相間に定格感度電流に電流制限する抵抗を直列接続したトライアックと、１次送り回路と同相の２次側回路とトライアックのゲート間にこのトライアックをトリガする抵抗を直列接続した非常押しボタンスイッチとからなる装置であって、地絡・短絡時に主幹電圧引外し装置付きブレーカの電圧引外しコイルに補助接点付き分岐漏電ブレーカの補助接点を介して印加された電圧が印加され遮断されることを特徴とするブレーカ遮断装置。
【請求項５】
請求項１乃至請求項４のいずれかに記載のブレーカ遮断装置において、ブレーカの１次送り側回路に点灯ランプと補助接点付き分岐ブレーカを設けたことを特徴とするブレーカ遮断装置の点検装置。
【発明の詳細な説明】
【０００１】
【発明の属する技術分野】
本発明は、地震時自動で、火災時などの非常時に手動で電源ブレーカを遮断す
るブレーカ遮断装置と、主幹ブレーカを切らずに検査する点検装置に関するものである。
【０００２】
【従来の技術】
従来、地震時に感震センサにて自動的に遮断する遮断器を有するブレーカ装置があった。すなわち設定震度以上の地震を検知し、その出力により分電盤の主幹ブレーカを遮断しようというもので、主幹ブレーカに電圧引外し装置を組み込みそれを作動させるものや、主幹ブレーカが漏電遮断器の場合、定格感度電流を地絡検出し、漏電遮断機能でブレーカを遮断させるというようなものであった。
【０００３】
【発明が解決しようとする課題】
しかし、そのような装置では、以下に示すような不都合があった。
【０００４】
地震時等の手動遮断ができるブレーカ避難装置は、従来に無かった。感震センサと専用ブレーカの組合せのものは既存の分電盤内のブレーカを生かすことが出来なくて、全体を交換するしかなかった。また、社団法人日本電気協会の内線規定において高さ１．８〜２．２ｍの位置に設置を義務づけされた分電盤が低い位置から操作できるように構成されたブレーカ避難装置は、従来に無かった。また主幹ブレーカを遮断せずに回路の作動試験を出来る装置は、従来に無かった。
【０００５】
本発明は、上記した従来の課題を解決するためになされたものであり、一般家庭にあるような既設の遮断器やブレーカと組み合わせて使用できると共に、その動作確認や避難時の対応、室内の低い位置に設けた押しボタンスイッチでの操作で対応でき、その使い勝手が非常に便利なブレーカ遮断装置とその点検装置を提供することを目的としてなされたものである。
【０００６】
【課題を解決するための手段】
請求項１のブレーカ遮断装置は、主幹漏電ブレーカと、この２次側回路と１次送り回路の異相間に主幹漏電ブレーカを漏電遮断機能で遮断するために定格感度電流に電流制限する抵抗を直列接続したトライアックと、１次送り回路と同相の２次側回路とトライアックのゲート間にこのトライアックをトリガする抵抗を直列接続した非常押しボタンスイッチを設け、非常時に非常押しボタンスイッチを押すことでトライアックをトリガしトライアックがオンし主幹漏電ブレーカは、定格感度電流を漏電機能で検出し、遮断機能で遮断する。
【０００７】
請求項２のブレーカ遮断装置は、主幹漏電ブレーカと、この２次側回路と１次送り回路の異相間に主幹漏電ブレーカを漏電遮断機能で遮断するために、定格感度電流に電流制限する抵抗を直列接続したトライアックと、１次送り回路と同相の２次側回路とトライアックのゲート間にこのゲートをトリガする抵抗を直列接続した感震センサを設け、地震時に感震器がトライアックをトリガしトライアックがオンし主幹漏電ブレーカは、定格感度電流を漏電機能で検出し、遮断機能で遮断する。
【０００８】
請求項３のブレーカ遮断装置は、主幹漏電ブレーカの２次側に補助接点付き分岐ブレーカを経由してブレーカ遮断装置の手動操作回路を設けた検査対象回路と、主幹漏電ブレーカの２次側経由補助接点にトライアックのゲートを接続し、主幹漏電ブレーカの２次側と主幹漏電ブレーカの１次送り回路の異相間を主幹漏電ブレーカの定格感度電流に制限する直列抵抗を設けたトライアックで接続し、検査対象回路の過電流、短絡等の場合に補助接点付き分岐ブレーカを動作させ、補助接点経由トライアックのゲートをトリガし主幹漏電ブレーカは、定格感度電流を漏電機能で検出し、遮断機能で遮断することで検査対象回路が正常であることを検査する。
【０００９】
請求項４のブレーカ遮断装置は、上記主幹漏電ブレーカを主幹電圧引外し装置付きブレーカ２次側回路に補助接点付き分岐漏電ブレーカを接続し、主幹電圧引外し装置付きブレーカの電圧引外しコイルを補助接点付き分岐漏電ブレーカの補助接点でトリガするように接続した構成に置き換えたものである。
【００１０】
請求項５のブレーカ遮断装置の点検装置は、主幹漏電ブレーカの１次送り回路に直列に主幹漏電ブレーカの定格感度電流以下に電流を制限する電流制限手段と主幹漏電ブレーカの定格感度電流以下で動作する電流検出手段を設け、感震センサ又は非常押しボタンスイッチを押すことで流れる不平衡電流を検出することで回路が正常であることを検査する。
【００１１】
【発明の実施の形態】
本発明は、地震時自動、非常時手動で主幹ブレーカを遮断するように構成した装置、及びその回路点検装置である。
【００１２】
図１は、第１の実施の形態を説明するための既設の本願を適用前の分電盤を示す回路図、図２は、第１の実施の形態を説明するための本願を適用した分電盤を示す回路図である。図３は、第１の実施の形態を説明するための既設の本願を適用前の分電盤を示す回路図、図４は、第１の実施の形態を説明するための本願を適用した分電盤を示す回路図である。図５は、第１の実施の形態を説明するための既設の本願を適用前の分電盤を示す回路図、図６は、第１の実施の形態を説明するための本願を適用した分電盤を示す回路図である。
【００１３】
図１〜図６において、１、２、３は電源端子、４は消防予防条例第２２０号通知（平成７年１０月５日）による一次送り回路付き分電盤、５はトライアックボックス、６は手動操作ボックス、ＡＭＰ１、ＡＭＰ２は増幅器、ａ１、ａ１１、ａ１２はａ接点、ｂ１、ｂ２、ｂ３はｂ接点、Ｂ１、Ｂ２、Ｂ３は分岐ブレーカ、Ｂ３ｂ、Ｂ５ｂは補助接点付き分岐ブレーカ、Ｂ５は一次送りブレーカ、Ｂ６は主幹ブレーカ、Ｂ６ａは主幹電圧引外し装置付きブレーカ、Ｂ６ａｃは電圧引外しコイル、ＢＣＲ１、ＢＣＲ２はトライアック、ＣＮ１、ＣＮ２、ＣＮ３、ＣＮ４はコンセント、ＥＬＢ１及びＥＬＢ１ａは主幹漏電ブレーカ、ＥＬＢ２は補助接点付き分岐漏電ブレーカ、Ｇはゲート、Ｇ１は感震センサ、Ｉ１は警報インターホン、Ｌ１、Ｌ１１、Ｌ２１はライン側入力端子、Ｌ２、Ｌ１２、Ｌ２２はライン側出力端子、ニュートラル側入力端子Ｎ１はニュートラル側入力端子、Ｎ２はニュートラル側出力端子、ＯＣ１、ＯＣ２、ＯＣ３、ＯＣ３ａ、ＯＣ５、ＯＣ５ａ、ＯＣ６ａ、ＯＣ６ａ、ＯＣ６ａａ、ＯＣ６ａｂ、ＯＣＥ２は過電流引外し素子、ＰＬ１はパイロットランプ、ＰＬ２は点検ランプ、ＰＬ３は常備灯、Ｒ１、Ｒ２、Ｒ３、Ｒ４、Ｒ５は抵抗、ＳＷ１は主幹テストボタン、ＳＷ２は警報押しボタン、ＳＷ３は非常押しボタンＳＷ、ＴＬ１、ＴＬ２は引外しコイル、Ｔ１、Ｔ２は端子、ＺＣＴ１は零相変流器である。
【００１４】
本願において図１、図３、図５による分電盤４は消防予防条例第２２０号通知にて１１階建て以上のマンションに義務づけられている共同住宅用自動火災報知設備対応のものであり、この図１を図２、図３を図４、図５を図６のように改造することで実施の形態として説明を示す。もちろん最初から図２のように新設しても実施の形態として差し支えはないが、既設のものに適用しやすいことを示すのと、発明部分を明確にするためにまず図１を詳細に説明する。
【００１５】
図１において、電源端子１、２に主幹漏電ブレーカＥＬＢ１のライン側入力端子Ｌ１、ニュートラル側入力端子Ｎ１が接続され、その２次側に分岐ブレーカＢ１、Ｂ２、Ｂ３が接続され、さらにその負荷としてコンセントＣＮ１、ＣＮ２、ＣＮ３等が接続されている。分岐ブレーカＢ５は１次送り回路としてライン側入力端子Ｌ１、ニュートラル側入力端子Ｎ１に接続され、分岐ブレーカＢ５の２次側に消防予防条例第２２０号通知による共同住宅用自動火災報知設備受信機としての警報インターホンＩ１が接続されている。次に動作説明をする。主幹漏電ブレーカＥＬＢ１の２次側に漏電、過負荷等のトラブルで主幹漏電ブレーカＥＬＢ１が動作しても警報インターホンＩ１に電源供給が途絶えることがないようにしている。
【００１６】
このような一般的な分電盤回路である図１に対して、図２に示す本願の回路を構成するように改造手順を示す。分岐ブレーカＢ３、Ｂ５を分電盤４から外して補助接点付き分岐ブレーカＢ３ｂ、Ｂ５ｂに交換し、感震センサＧ１、トライアックボックス５（トライアックＢＣＲ１、抵抗Ｒ２、Ｒ３）、手動操作ボックス６（コンセントＣＮ４、ＰＬ３、非常押しボタンスイッチＳＷ３、抵抗Ｒ４、Ｒ５、トライアックＢＣＲ２、パイロットランプＰＬ１）、点検ランプＰＬ２を追加設置し接続する。以上のように既設の一般的な分電盤回路を有効に利用して種々の機能が追加できる効果がある。
【００１７】
図２において、電源端子１、２に主幹漏電ブレーカＥＬＢ１のライン側入力端子Ｌ１、ニュートラル側入力端子Ｎ１が接続され、その２次側ライン側出力端子Ｌ２、ニュートラル側出力端子Ｎ２に分岐ブレーカＢ１、Ｂ２、Ｂ３、補助接点付き分岐ブレーカＢ３ｂが接続され、さらにその負荷としてコンセントＣＮ１、ＣＮ２、ＣＮ３、及びＣＮ４、ＰＬ３が接続されている。さらに非常押しボタンスイッチＳＷ３のａ接点ａ２が抵抗Ｒ４、トライアックＢＣＲ２の端子Ｔ１に接続されている。Ｎ極は非常押しボタンスイッチＳＷ３のａ接点ａ３から抵抗Ｒ５を経てトライアックＢＣＲ２のゲートＧに接続されている。１次送り回路Ｌ側は、主幹漏電ブレーカＥＬＢ１の１次側のライン側入力端子Ｌ１から補助接点付き分岐ブレーカＢ５ｂのライン側入力端子Ｌ１、ライン側出力端子Ｌ２、警報インターホンＩ１のＬ、パイロットランプＰＬ１のＬに接続されている。
【００１８】
１次送り回路Ｎ側は、主幹漏電ブレーカＥＬＢ１の１次側のニュートラル側入力端子Ｎ１から補助接点付き分岐ブレーカＢ５ｂのニュートラル側入力端子Ｎ１、ニュートラル側出力端子Ｎ２、警報インターホンＩ１のＮ、パイロットランプＰＬ１のＮ、トライアックＢＣＲ２の端子Ｔ２に接続されている。補助接点付き分岐ブレーカＢ５ｂのニュートラル側入力端子Ｎ１とニュートラル側出力端子Ｎ２間がｂ接点ｂ２と点検ランプＰＬ２の直列回路で接続されている。補助接点付き分岐ブレーカＢ５ｂのニュートラル側出力端子Ｎ２からトライアックボックス５内のトライアックＢＣＲ１の端子Ｔ２に接続されている。感震センサＧ１の電源は主幹漏電ブレーカＥＬＢ１のライン側出力端子Ｌ２、ニュートラル側出力端子Ｎ２に接続されている。主幹漏電ブレーカＥＬＢ１のライン側出力端子Ｌ２から、抵抗Ｒ２を経由してトライアックＢＣＲ１の端子Ｔ１に接続されている。主幹漏電ブレーカＥＬＢ１のニュートラル側出力端子Ｎ２からａ接点ａ１１、ａ接点ａ１２、抵抗Ｒ３、トライアックＢＣＲ１のゲートＧに接続されている。主幹漏電ブレーカＥＬＢ１のニュートラル側出力端子Ｎ２から、ｂ接点ｂ１、ａ接点ａ１２に接続されている。図１と共通部分は説明を省略する。
【００１９】
次に図２の動作説明をする。
【００２０】
１．手動操作による動作
オルタネート式の非常押しボタンスイッチＳＷ３をオンにするとＬ側電源端子１から主幹漏電ブレーカＥＬＢ１がオン、補助接点付き分岐ブレーカＢ３ｂがオン、非常押しボタンスイッチＳＷ３のａ接点ａ２、抵抗Ｒ４、トライアックＢＣＲ２の端子Ｔ１が接がる。Ｎ側電源端子２から主幹漏電ブレーカＥＬＢ１がオン、補助接点付き分岐ブレーカＢ３ｂがオン、非常押しボタンスイッチＳＷ３のａ接点ａ３、抵抗Ｒ５、トライアックＢＣＲ２のゲートＧが接がる。Ｎ側電源端子２から補助接点付き分岐ブレーカＢ５ｂがオン、警報インターホンＩ１のＮ、トライアックＢＣＲ２の端子Ｔ２が接がる。したがって抵抗Ｒ４で主幹漏電ブレーカＥＬＢ１の定格感度電流に設定された電流が主幹漏電ブレーカＥＬＢ１内の零相変流器ＺＣＴ１のライン側入力端子Ｌ１、ライン側出力端子Ｌ２間を流れる。トライアックＢＣＲ２のゲートＧに抵抗Ｒ５で定格ゲート電流が主幹漏電ブレーカＥＬＢ１内の零相変流器ＺＣＴ１のニュートラル側入力端子Ｎ１、ニュートラル側出力端子Ｎ２間に流れることになり、定格感度電流が流れる。すると零相変流器ＺＣＴ１の２次側出力が増幅器ＡＭＰ１で増幅され、引外しコイルＴＬ１を駆動して主幹漏電ブレーカＥＬＢ１を遮断する。するとトライアックＢＣＲ２への電源供給が無くなり、オフとなるので、１次送り側からの電源供給がトライアックＢＣＲ２で遮断され主幹漏電ブレーカＥＬＢ１の２次側の各種負荷回路への回り込みが無くなり安全である。
【００２１】
２．自動操作による動作
地震震度５強を感震センサＧ１が感知すると、ａ接点ａ１が閉じ、Ｎ側電源端子２から主幹漏電ブレーカＥＬＢ１がオン、抵抗Ｒ３経由トライアックＢＣＲ１のゲートＧが接がる。Ｌ側電源端子１から主幹漏電ブレーカＥＬＢ１がオン、ライン側出力端子Ｌ２経由、抵抗Ｒ２、トライアックＢＣＲ１の端子Ｔ１が接がる。１次側回路は電源端子２から主幹漏電ブレーカＥＬＢ１のニュートラル側入力端子Ｎ１、補助接点付き分岐ブレーカＢ５ｂがオン、トライアックＢＣＲ１の端子Ｔ２が接がる。したがって抵抗Ｒ４で主幹漏電ブレーカＥＬＢ１の定格感度電流に設定された電流が主幹漏電ブレーカＥＬＢ１内の零相変流器ＺＣＴ１のライン側入力端子Ｌ１、ライン側出力端子Ｌ２間を流れる。トライアックＢＣＲ１のゲートＧに抵抗Ｒ３で定格ゲート電流が主幹漏電ブレーカＥＬＢ１内の零相変流器ＺＣＴ１のニュートラル側入力端子Ｎ１、ニュートラル側出力端子Ｎ２間に流れることになり、定格感度電流が流れる。すると零相変流器ＺＣＴ１の２次側出力が増幅器ＡＭＰ１で増幅され、引外しコイルＴＬ１を駆動して主幹漏電ブレーカＥＬＢ１を遮断する。するとトライアックＢＣＲ１への電源供給が無くなるのでオフとなるので、１次送り側からの電源供給がトライアックＢＣＲ１で遮断され主幹漏電ブレーカＥＬＢ１の２次側の各種負荷回路への回り込みが無くなり安全である。
【００２２】
３．手動操作回路の保護による動作
コンセントＣＮ３に接続されている電気コードの過電流、短絡事故により補助接点付き分岐ブレーカＢ３ｂがトリップしたとき、ｂ接点ｂ１接点が閉じて抵抗Ｒ３を経由してトライアックＢＣＲ１のゲートＧに抵抗Ｒ５で定格ゲート電流が主幹漏電ブレーカＥＬＢ１内の零相変流器ＺＣＴ１のニュートラル側入力端子Ｎ１、ニュートラル側出力端子Ｎ２間に流れることになり、定格感度電流が流れる。すると零相変流器ＺＣＴ１の２次側出力が増幅器ＡＭＰ１で増幅され、引外しコイルＴＬ１を駆動して主幹漏電ブレーカＥＬＢ１を遮断する、するとトライアックＢＣＲ１への電源供給が無くなるのでオフとなるので、１次送り側からの電源供給がトライアックＢＣＲ１で遮断され主幹漏電ブレーカＥＬＢ１の２次側の各種負荷回路への回り込みが無くなり安全である。
【００２３】
４．回線試験回路の動作
（１）手動操作回路
テストを行う前に補助接点付き分岐ブレーカＢ５ｂをオフにし、ｂ接点ｂ２がオンになった状態で非常押しボタンスイッチＳＷ３をオンにするとトライアックＢＣＲ２のオンとなり点検ランプＰＬ２が点灯する。復帰は非常押しボタンスイッチＳＷ３を戻せばよい。目的は主幹漏電ブレーカＥＬＢ１を作動することなく点検したいがためである。
【００２４】
（２）自動操作回路
テストを行う前に補助接点付き分岐ブレーカＢ５ｂをオフにし、ｂ接点ｂ２がオンになった状態で感震センサＧ１のテストボタンを押すと抵抗Ｒ３経由トライアックＢＣＲ１のゲートＧがオンとなり点検ランプＰＬ２が点灯する。復帰は自動復帰である。目的は主幹漏電ブレーカＥＬＢ１を作動することなく点検したいがためである。
【００２５】
（３）手動操作回路の保護回路
テストを行う前に補助接点付き分岐ブレーカＢ５ｂをオフにし、ｂ接点ｂ２がオンになった状態で補助接点付き分岐ブレーカＢ３ｂをオフにするとｂ接点ｂ１が閉じて抵抗Ｒ３経由トライアックＢＣＲ１のゲートＧがオンとなり点検ランプＰＬ２が点灯する。復帰は補助接点付き分岐ブレーカＢ３ｂをオンにすればよい。目的は主幹漏電ブレーカＥＬＢ１を作動することなく点検したいがためである。
【００２６】
図３において、電源端子１、２、３に主幹漏電ブレーカＥＬＢ１ａのライン側入力端子Ｌ１１、ニュートラル側入力端子Ｎ１、ライン側出力端子Ｌ１２が接続され、その２次側に分岐ブレーカＢ１、Ｂ２、Ｂ３が接続され、さらにその負荷としてコンセントＣＮ１、ＣＮ２、ＣＮ３等が接続されている。分岐ブレーカＢ５は１次送り回路としてライン側入力端子Ｌ１、ニュートラル側入力端子Ｎ１に接続され、分岐ブレーカＢ５の２次側に消防予防条例第２２０号通知による共同住宅用自動火災報知設備受信機としての警報インターホンＩ１が接続されている。次に動作説明をする。主幹漏電ブレーカＥＬＢ１の２次側に漏電、過負荷等のトラブルで主幹漏電ブレーカＥＬＢ１が動作しても警報インターホンＩ１に電源供給が途絶えることがないようにしている。
【００２７】
このような一般的な分電盤回路である図３に対して、図４に示す本願の回路を構成するように改造手順を示す。分岐ブレーカＢ３、Ｂ５を分電盤４から外して補助接点付き分岐ブレーカＢ３ｂ、補助接点付き分岐ブレーカＢ５ｂに交換し、感震センサＧ１、トライアックボックス５（トライアックＢＣＲ１、抵抗Ｒ２、Ｒ３を内蔵）、手動操作ボックス６（コンセントＣＮ４、ＰＬ３、非常押しボタンスイッチＳＷ３、抵抗Ｒ４、Ｒ５、トライアックＢＣＲ２、パイロットランプＰＬ１を内蔵）、点検ランプＰＬ２を追加設置し接続する、以上のように既設の一般的な分電盤回路を有効に利用して種々の機能が追加できる効果がある。
【００２８】
図４において、電源端子１、２に主幹漏電ブレーカＥＬＢ１ａのライン側入力端子Ｌ１、ニュートラル側入力端子Ｎ１が接続され、その２次側ライン側出力端子Ｌ２、ニュートラル側出力端子Ｎ２に分岐ブレーカＢ１、Ｂ２、Ｂ３、補助接点付き分岐ブレーカＢ３ｂが接続され、さらにその負荷としてコンセントＣＮ１、ＣＮ２、ＣＮ３、及びＣＮ４、ＰＬ３が接続されている。さらに非常押しボタンスイッチＳＷ３のａ接点ａ２が抵抗Ｒ４、トライアックＢＣＲ２の端子Ｔ１に接続されている。Ｎ極は非常押しボタンスイッチＳＷ３のａ接点ａ３から抵抗Ｒ５を経てトライアックＢＣＲ２のゲートＧに接続されている、１次送り回路Ｌ側は、主幹漏電ブレーカＥＬＢ１ａの１次側のライン側入力端子Ｌ１から補助接点付き分岐ブレーカＢ５ｂのライン側入力端子Ｌ１、ライン側出力端子Ｌ２、警報インターホンＩ１のＬ、パイロットランプＰＬ１のＬに接続されている。
【００２９】
１次送り回路Ｎ側は、主幹漏電ブレーカＥＬＢ１ａの１次側のニュートラル側入力端子Ｎ１から補助接点付き分岐ブレーカＢ５ｂのニュートラル側入力端子Ｎ１、ニュートラル側出力端子Ｎ２、警報インターホンＩ１のＮ、パイロットランプＰＬ１のＮ、トライアックＢＣＲ２の端子Ｔ２に接続されている。補助接点付き分岐ブレーカＢ５ｂのニュートラル側入力端子Ｎ１とニュートラル側出力端子Ｎ２間がｂ接点ｂ２と点検ランプＰＬ２の直列回路で接続されている。補助接点付き分岐ブレーカＢ５ｂのニュートラル側出力端子Ｎ２からトライアックボックス５内のトライアックＢＣＲ１の端子Ｔ２に接続されている。感震センサＧ１の電源は主幹漏電ブレーカＥＬＢ１ａのライン側出力端子Ｌ２、ニュートラル側出力端子Ｎ２に接続されている。主幹漏電ブレーカＥＬＢ１ａのライン側出力端子Ｌ２から、抵抗Ｒ２を経由してトライアックＢＣＲ１の端子Ｔ１に接続されている。主幹漏電ブレーカＥＬＢ１のニュートラル側出力端子Ｎ２からａ接点ａ１１、ａ接点ａ１２、抵抗Ｒ３、トライアックＢＣＲ１のゲートＧに接続されている。主幹漏電ブレーカＥＬＢ１ａのニュートラル側出力端子Ｎ２から、ｂ接点ｂ１、ａ接点ａ１２に接続されている。図３と共通部分は説明を省略する。
【００３０】
次に図４の動作説明をする。
【００３１】
１．手動操作による動作
オルタネート式の非常押しボタンスイッチＳＷ３をオンにするとＬ側電源端子１から主幹漏電ブレーカＥＬＢ１ａがオン、補助接点付き分岐ブレーカＢ３ｂがオン、非常押しボタンスイッチＳＷ３のａ接点ａ２、抵抗Ｒ４、トライアックＢＣＲ２の端子Ｔ１が接がる。Ｎ側電源端子２から主幹漏電ブレーカＥＬＢ１ａがオン、補助接点付き分岐ブレーカＢ３ｂがオン、非常押しボタンスイッチＳＷ３のａ接点ａ３、抵抗Ｒ５、トライアックＢＣＲ２のゲートＧが接がる。Ｎ側電源端子２から補助接点付き分岐ブレーカＢ５ｂがオン、警報インターホンＩ１のＮ、トライアックＢＣＲ２の端子Ｔ２が接がる、したがって抵抗Ｒ４で主幹漏電ブレーカＥＬＢ１ａの定格感度電流に設定された電流が主幹漏電ブレーカＥＬＢ１ａ内の零相変流器ＺＣＴ１のライン側入力端子Ｌ１、ライン側出力端子Ｌ２間を流れる。トライアックＢＣＲ２のゲートＧに抵抗Ｒ５で定格ゲート電流が主幹漏電ブレーカＥＬＢ１内の零相変流器ＺＣＴ１のニュートラル側入力端子Ｎ１、ニュートラル側出力端子Ｎ２間に流れることになり、定格感度電流が流れる。すると零相変流器ＺＣＴ１の２次側出力が増幅器ＡＭＰ１で増幅され、引外しコイルＴＬ１を駆動して主幹漏電ブレーカＥＬＢ１ａを遮断する。するとトライアックＢＣＲ２への電源供給が無くなるのでオフとなるので、１次送り側からの電源供給がトライアックＢＣＲ２で遮断され主幹漏電ブレーカＥＬＢ１ａの２次側の各種負荷回路への回り込みが無くなり安全である。
【００３２】
２．自動操作による動作
地震震度５強を感震センサＧ１が感知すると、ａ接点ａ１が閉じ、Ｎ側電源端子２から主幹漏電ブレーカＥＬＢ１ａがオン、抵抗Ｒ３経由トライアックＢＣＲ１のゲートＧが接がる、Ｌ側電源端子１から主幹漏電ブレーカＥＬＢ１ａがオン、ライン側出力端子Ｌ２経由、抵抗Ｒ２、トライアックＢＣＲ１の端子Ｔ１が接がる。１次側回路は電源端子２から主幹漏電ブレーカＥＬＢ１ａのニュートラル側入力端子Ｎ１、補助接点付き分岐ブレーカＢ５ｂがオン、トライアックＢＣＲ１の端子Ｔ２が接がる。したがって抵抗Ｒ４で主幹漏電ブレーカＥＬＢ１ａの定格感度電流に設定された電流が主幹漏電ブレーカＥＬＢ１ａ内の零相変流器ＺＣＴ１のライン側入力端子Ｌ１、ライン側出力端子Ｌ２間を流れる。トライアックＢＣＲ１のゲートＧに抵抗Ｒ３で定格ゲート電流が主幹漏電ブレーカＥＬＢ１ａ内の零相変流器ＺＣＴ１のニュートラル側入力端子Ｎ１、ニュートラル側出力端子Ｎ２間に流れることになり、定格感度電流が流れる。すると零相変流器ＺＣＴ１の２次側出力が増幅器ＡＭＰ１で増幅され、引外しコイルＴＬ１を駆動して主幹漏電ブレーカＥＬＢ１ａを遮断する、するとトライアックＢＣＲ１への電源供給が無くなるのでオフとなるので、１次送り側からの電源供給がトライアックＢＣＲ１で遮断され主幹漏電ブレーカＥＬＢ１ａの２次側の各種負荷回路への回り込みが無くなり安全である。
【００３３】
３．手動操作回路の保護による動作
コンセントＣＮ３に接続されている負荷の過負荷、短絡事故等により補助接点付き分岐ブレーカＢ３ｂがトリップしたとき、ｂ接点ｂ１が閉じて抵抗Ｒ３を経由してトライアックＢＣＲ１のゲートＧに抵抗Ｒ５で定格ゲート電流が主幹漏電ブレーカＥＬＢ１ａ内の零相変流器ＺＣＴ１のニュートラル側入力端子Ｎ１、ニュートラル側出力端子Ｎ２間に流れることになり、定格感度電流が流れる。すると零相変流器ＺＣＴ１の２次側出力が増幅器ＡＭＰ１で増幅され、引外しコイルＴＬ１を駆動して主幹漏電ブレーカＥＬＢ１ａを遮断する、するとトライアックＢＣＲ１への電源供給が無くなるのでオフとなるので、１次送り側からの電源供給がトライアックＢＣＲ１で遮断され主幹漏電ブレーカＥＬＢ１ａの２次側の各種負荷回路への回り込みが無くなり安全である。
【００３４】
４．回線試験回路の動作
（１）手動操作回路
テストを行う前に補助接点付き分岐ブレーカＢ５ｂをオフにし、ｂ接点ｂ２がオンになった状態で非常押しボタンスイッチＳＷ３をオンにするとトライアックＢＣＲ２のオンとなり点検ランプＰＬ２が点灯する。復帰は非常押しボタンスイッチＳＷ３を戻せばよい。目的は主幹漏電ブレーカＥＬＢ１ａを作動することなく点検したいがためである。
【００３５】
（２）自動操作回路
テストを行う前に補助接点付き分岐ブレーカＢ５ｂをオフにし、ｂ接点ｂ２がオンになった状態で感震センサＧ１の図示しないテストボタンを押すと、抵抗Ｒ３経由トライアックＢＣＲ１のゲートＧがオンとなり点検ランプＰＬ２が点灯す
る。復帰は自動復帰である。目的は主幹漏電ブレーカＥＬＢ１ａを作動することなく点検したいがためである。
【００３６】
（３）手動操作回路の保護回路
テストを行う前に補助接点付き分岐ブレーカＢ５ｂをオフにし、ｂ接点ｂ２がオンになった状態で補助接点付き分岐ブレーカＢ３ｂをオフにすると、ｂ接点ｂ１が閉じて抵抗Ｒ３経由トライアックＢＣＲ１のゲートＧがオンとなり点検ランプＰＬ２が点灯する。復帰は補助接点付き分岐ブレーカＢ３ｂをオンにすればよい。目的は主幹漏電ブレーカＥＬＢ１ａを作動することなく点検したいがためで
ある。
【００３７】
図５は図３の主幹漏電ブレーカ主幹漏電ブレーカＥＬＢ１ａをサーキットブレーカのみの機能を持つ主幹ブレーカＢ６に変化させたものである。図５において、電源端子１、２、３にＢ６のライン側入力端子Ｌ１１、ニュートラル側入力端子Ｎ１、ライン側出力端子Ｌ１２が接続され、その２次側に分岐ブレーカＢ１、Ｂ２、Ｂ３が接続され、さらにその負荷としてコンセントＣＮ１、ＣＮ２、ＣＮ３等が接続されている。分岐ブレーカＢ５は１次送り回路としてライン側入力端子Ｌ１、ニュートラル側入力端子Ｎ１に接続され、分岐ブレーカＢ５の２次側に消防予防条例第２２０号通知による共同住宅用自動火災報知設備受信機としての警報インターホンＩ１が接続されている。次に動作説明をする。主幹漏電ブレーカＥＬＢ１の２次側に漏電、過負荷等のトラブルで主幹漏電ブレーカＥＬＢ１が動作しても警報インターホンＩ１に電源供給が途絶えることがないようにしている。
【００３８】
このような一般的な分電盤回路である図５に対して、図６に示す本願の回路を構成するように改造手順を示す。分岐ブレーカＢ３、Ｂ５、Ｂ６を分電盤４から外して補助接点付き分岐漏電ブレーカＥＬＢ２、補助接点付き分岐ブレーカＢ５ｂ、主幹電圧引外し装置付きブレーカＢ６ａに交換し、感震センサＧ１、トライアックボックス５（トライアックＢＣＲ１、抵抗Ｒ２、Ｒ３を内蔵）、手動操作ボックス６（コンセントＣＮ４、ＰＬ３、非常押しボタンスイッチＳＷ３、抵抗Ｒ４、Ｒ５、トライアックＢＣＲ２、パイロットランプＰＬ１を内蔵）、点検ランプＰＬ２を追加設置し接続する。以上のように既設の一般的な分電盤回路を有効に利用して種々の機能が追加できる効果がある。
【００３９】
図６において、電源端子１、２、３に主幹電圧引外し装置付きブレーカＢ６ａのライン側入力端子Ｌ１１、ニュートラル側入力端子Ｎ１、ライン側入力端子Ｌ２１が接続され、その２次側ライン側出力端子Ｌ１２、ニュートラル側出力端子Ｎ２、ライン側出力端子Ｌ２２に分岐ブレーカＢ１、Ｂ２、補助接点付き分岐漏電ブレーカＥＬＢ２が接続され、さらにその負荷としてコンセントＣＮ１、ＣＮ２、ＣＮ３、及びＣＮ４、ＰＬ３が接続されている。さらに、非常押しボタンスイッチＳＷ３のａ接点ａ２が抵抗Ｒ４、トライアックＢＣＲ２の端子Ｔ１に接続されている。Ｎ極側は非常押しボタンスイッチＳＷ３のａ接点ａ３から抵抗Ｒ５を経てトライアックＢＣＲ２のゲートＧに接続されている。１次送り回路Ｌ側は、主幹電圧引外し装置付きブレーカＢ６ａの１次側のライン側入力端子Ｌ２１か
ら補助接点付き分岐ブレーカＢ５ｂのライン側入力端子Ｌ１、ライン側出力端子Ｌ２、警報インターホンＩ１のＬ、パイロットランプＰＬ１のＬに接続されている。
【００４０】
１次送り回路Ｎ側は、主幹電圧引外し装置付きブレーカＢ６ａの１次側のニュートラル側入力端子Ｎ１から補助接点付き分岐ブレーカＢ５ｂのニュートラル側入力端子Ｎ１、ニュートラル側出力端子Ｎ２、警報インターホンＩ１のＮ、パイロットランプＰＬ１のＮ、トライアックＢＣＲ２の端子Ｔ２に接続されている。補助接点付き分岐ブレーカＢ５ｂのニュートラル側入力端子Ｎ１とニュートラル側出力端子Ｎ２間がｂ接点ｂ２と点検ランプＰＬ２の直列回路で接続されている。補助接点付き分岐ブレーカＢ５ｂのニュートラル側出力端子Ｎ２からトライアックボックス５内のトライアックＢＣＲ１の端子Ｔ２に接続されている。感震センサＧ１の電源は主幹電圧引外し装置付きブレーカＢ６ａのライン側出力端子Ｌ２２、ニュートラル側出力端子Ｎ２に接続されている。補助接点付き分岐漏電ブ
レーカＥＬＢ２のニュートラル側出力端子Ｎ２から、抵抗Ｒ３を経由してトライアックＢＣＲ１の端子Ｔ１に接続されている。主幹電圧引外し装置付きブレーカＢ６ａのニュートラル側出力端子Ｎ２からａ接点ａ１１、ａ接点ａ１２、抵抗Ｒ２、トライアックＢＣＲ１のゲートＧに接続されている。補助接点付き分岐漏電ブレーカＥＬＢ２のニュートラル側入力端子Ｎ１からｂ接点ｂ３を経由して主幹電圧引外し装置付きブレーカＢ６ａのＮ３、Ｌ３、ライン側出力端子Ｌ２２に接続されている。図５と共通部分は説明を省略する。
【００４１】
【発明の効果】
以上説明したように請求項１の発明によれば、主幹漏電ブレーカと、この２次側回路と１次送り回路の異相間に主幹漏電ブレーカを漏電遮断機能で遮断するために定格感度電流に電流制限する抵抗を直列接続したトライアックと、１次送り回路と同相の２次側回路とトライアックのゲート間にこれをトリガする抵抗を直列接続した非常押しボタンスイッチを設け、非常時に非常押しボタンスイッチを押すことでトライアックをトリガさせトライアックがオンし主幹漏電ブレーカは定格感度電流を漏電機能で検出し、遮断機能で遮断するので、非常時に２次側回路と１次送り回路を経由し主幹漏電ブレーカから離れた位置にある非常押しボタンスイッチを押すことで主幹漏電ブレーカを遮断できる感震漏電ブレーカ遮断装置が得られる。
【００４２】
請求項２の発明によれば、主幹漏電ブレーカと、この２次側回路と１次送り回路の異相間に主幹漏電ブレーカを漏電遮断機能で遮断するために定格感度電流に電流制限する抵抗を直列接続したトライアックと、１次送り回路と同相の２次側回路とトライアックのゲート間にこのゲートをトリガする抵抗を直列接続した感震センサを設け、地震時に感震センサがトライアックをトリガしトライアックがオンし主幹漏電ブレーカは、定格感度電流を漏電機能で検出し、遮断機能で遮断するので、地震時に自動的に感震センサが主幹漏電ブレーカを遮断できるブレーカ遮断装置が得られる。
【００４３】
請求項３の発明によれば、主幹漏電ブレーカの２次側に補助接点付き分岐ブレーカを経由してブレーカ遮断装置の手動操作回路を設けた検査対象回路と、主幹漏電ブレーカの２次側経由補助接点にトライアックのゲートを接続し、主幹漏電ブレーカの２次側と主幹漏電ブレーカの１次送り回路の異相間を主幹漏電ブレーカの定格感度電流に制限する直列抵抗を設けたトライアックで接続し、検査対象回路の過電流、短絡等の場合に補助接点付き分岐ブレーカを動作させ、補助接点経由トライアックのゲートをトリガし主幹漏電ブレーカは、定格感度電流を漏電機能で検出し、遮断機能で遮断するので、ブレーカ遮断装置の手動操作回路を設けた検査対象回路を監視できるブレーカ遮断装置が得られる。
【００４４】
請求項４の発明によれば、主幹漏電ブレーカを主幹電圧引外し装置付きブレーカ２次側回路に補助接点付き分岐漏電ブレーカを接続し、主幹電圧引外し装置付きブレーカの電圧引外しコイルを補助接点付き分岐漏電ブレーカの補助接点でトリガするように接続した構成に置き換えたので、分岐回路の漏電による影響を受けないブレーカ遮断装置が得られる。
【００４５】
請求項５の発明によれば、主幹漏電ブレーカの１次送り回路に直列に主幹漏電ブレーカの定格感度電流以下に電流を制限する電流制限手段と主幹漏電ブレーカの定格感度電流以下で動作する電流検出手段を設け、感震センサ又は非常押しボタンスイッチを押すことで流れる不平衡電流を検出することで回路が正常であることを検査するので、主幹漏電ブレーカを遮断せずに検査できるブレーカ遮断装置の点検装置が得られる。
【図面の簡単な説明】
【図１】    本発明を適用するための既存ブレーカ遮断装置の回路図である。
【図２】    本発明を適用したブレーカ遮断装置の回路図である。
【図３】    本発明を適用するための既存ブレーカ遮断装置の回路図である。
【図４】    本発明を適用したブレーカ遮断装置の回路図である。
【図５】    本発明を適用するための既存ブレーカ遮断装置の回路図である。
【図６】    本発明を適用したブレーカ遮断装置の回路図である。
【符号の説明】
１、２、３  電源端子
４  分電盤
５  トライアックボックス
６  手動操作ボックス
ＡＭＰ１、ＡＭＰ２  増幅器
ａ１、ａ２、ａ１１、ａ１２  ａ接点
ｂ１  ｂ２、ｂ３  ｂ接点
Ｂ１、Ｂ２、Ｂ３  分岐ブレーカ
Ｂ３ｂ、Ｂ５ｂ  補助接点付き分岐ブレーカ
Ｂ５  一次送りブレーカ
Ｂ６  主幹ブレーカ
Ｂ６ａ  主幹電圧引外し装置付きブレーカ
Ｂ６ａｃ  電圧引外しコイル
ＢＣＲ１、ＢＣＲ２  トライアック
ＣＮ１、ＣＮ２、ＣＮ３、ＣＮ４  コンセント
ＥＬＢ１、ＥＬＢ１ａ  主幹漏電ブレーカ
ＥＬＢ２  補助接点付き分岐漏電ブレーカ
Ｇ  ゲート
Ｇ１  感震センサ
Ｉ１  警報インターホン
Ｌ１、Ｌ１１、Ｌ２１  ライン側入力端子
Ｌ２、Ｌ１２、Ｌ２２  ライン側出力端子
Ｎ１  ニュートラル側入力端子
Ｎ２  ニュートラル側出力端子
ＯＣ１、ＯＣ２、ＯＣ３、ＯＣ３ａ、ＯＣ５、ＯＣ５ａ、ＯＣ６ａ、ＯＣ６ａ、
ＯＣ６ａａ、ＯＣ６ａｂ  ＯＣＥ２  過電流引外し素子
ＰＬ１  パイロットランプ
ＰＬ２  点検ランプ
ＰＬ３  常備灯
Ｒ１、Ｒ２、Ｒ３、Ｒ４、Ｒ５  抵抗
ＳＷ１  主幹テストボタン
ＳＷ２  警報押しボタン
ＳＷ３  非常押しボタンＳＷ
ＴＬ１、ＴＬ２  引外しコイル
Ｔ１、Ｔ２  端子
ＺＣＴ１  零相変流器
【図１】
0003837580.tif 000002
【図２】
0003837580.tif 000003
【図３】
0003837580.tif 000004
【図４】
0003837580.tif 000005
【図５】
0003837580.tif 000006
【図６】
0003837580.tif 000007